(57)【要約】【課題】オーダーチェンジ時に時間に対する応答性のよい段ボール製造用加熱装置及び両面段ボールシート製造装置並びに両面段ボールシート製造方法を提供する。【解決手段】本発明にかかる両面段ボールシート製造装置１は、片面段ボールシート１０と表ライナ紙１１とを加熱する段ボール製造用加熱装置２２において、片面段ボールシート１０と表ライナ紙１１とを加熱させる加熱手段２８と、片面段ボールシート１０又は表ライナ紙１１と接触する接触面が平滑に形成された接触部２４と加熱手段２８との間に接触部２４を冷却する冷却手段３０と、が設けられていることを特徴とする。【選択図】        図１
2008055790.tif 000002
【特許請求の範囲】
【請求項１】
片面段ボールシートと表ライナ紙とを加熱する段ボール製造用加熱装置において、
前記片面段ボールシートと前記表ライナ紙とを加熱させる加熱手段と、
前記片面段ボールシート又は前記表ライナ紙と接触する接触面を有する接触部と前記加熱手段との間に前記接触部を冷却する冷却手段と、
が設けられていることを特徴とする段ボール製造用加熱装置。
【請求項２】
前記段ボール製造用加熱装置において、
前記加熱手段と前記冷却手段とは、それぞれ別部材で構成されており、
前記接触部は前記冷却手段が設けられている部材に形成されており、
前記加熱手段と前記冷却手段とは分離可能となっていることを特徴とする請求項１に記載の段ボール製造用加熱装置。
【請求項３】
前記加熱手段若しくは前記冷却手段の少なくとも一方の温度を制御することにより、前記片面段ボールシート及び前記表ライナ紙へ与える熱量を調整する温度制御手段を有していることを特徴とする請求項２に記載の段ボール製造用加熱装置。
【請求項４】
前記加熱手段と前記冷却手段との距離を変更することにより、前記片面段ボールシート及び前記表ライナ紙へ与える熱量を調整する距離可変手段を有していることを特徴とする請求項３に記載の段ボール製造用加熱装置。
【請求項５】
前記片面段ボールシートと前記表ライナ紙とのライン速度、又は前記片面段ボールシートの紙種情報、又は前記表ライナ紙の紙種情報のうち少なくとも１つに基づいて、前記温度制御手段又は前記距離可変手段の少なくとも一方を制御することにより、前記片面段ボールシート及び前記表ライナ紙へ与える熱量を調整する総合制御手段を有していることを特徴とする請求項４に記載の段ボール製造用加熱装置。
【請求項６】
前記段ボール製造用加熱装置は、
前記片面段ボールシート又は前記表ライナ紙の温度又は水分量の少なくとも一方を計測する計測手段を有しており、
前記総合制御手段は、前記計測手段から得られた前記温度又は前記水分量の少なくとも一方に基づいて、前記温度制御手段又は前記距離可変手段を制御することを特徴とする請求項５に記載の段ボール製造用加熱装置。
【請求項７】
前記片面段ボールシートに接着剤を塗布する前に予熱する片段用プレヒータと、
前記表ライナ紙に接着剤を塗布する前に前記ライナ紙を予熱する第１表ライナ用プレヒータと、
予熱された前記片面段ボールシートと前記表ライナとに接着剤を塗布するグルーマシンと、
接着剤が塗布された後の前記表ライナ紙をさらに加熱する第２表ライナ用プレヒータと、
請求項１乃至６のいずれか１項に記載の段ボール製造用加熱装置と、
前記片面段ボールシート及び前記表ライナ紙を搬送する搬送手段と、
を有していることを特徴とする両面段ボールシート製造装置。
【請求項８】
前記搬送手段を介して前記片面段ボールシートと前記表ライナとを前記段ボール製造用加熱装置に押し付ける加圧手段を有していることを特徴とする請求項７に記載の両面段ボールシート製造装置。
【請求項９】
両面段ボールシートを製造するにあたり、
片面段ボールシートを予熱する手順と、
前記片面段ボールシートと貼り合わされる表ライナ紙を予熱する手順と、
前記片面段ボールシートと前記表ライナ紙とに接着材を塗布する手順と、
前記表ライナ紙を再び予熱する手順と、
前記片面段ボールシートと前記表ライナ紙とを加熱し、接着させる手順と、を含み、
前記片面段ボールシートと前記表ライナ紙とを加熱し、接着させる手順は、前記片面段ボールシート又は前記表ライナ紙と接触する接触面が平滑に形成された接触部を強制冷却、及び、強制加熱できる手段を用いることを特徴とする両面段ボールシート製造方法。
【発明の詳細な説明】
【技術分野】
【０００１】
本発明は、段ボール製造用加熱装置、両面段ボールシート製造装置及び両面段ボールシート製造方法に関するものである。
【背景技術】
【０００２】
両面段ボールシートは、片面段ボールシートと表ライナ紙とに接着剤を塗布し、その接着剤を乾燥させて製造される。接着剤の乾燥には、熱板を有する加熱装置が用いられる。従来の加熱装置では、片面段ボールシートおよび表ライナ紙を加熱装置に押し付ける加圧装置の加圧力を変更することにより、加熱装置から表ライナ紙への接触熱伝達率を微調整して、乾燥温度を調節していた。
【０００３】
【特許文献１】米国特許第５６６２７６５号明細書（column3 line42, FIG2）
【発明の開示】
【発明が解決しようとする課題】
【０００４】
しかしながら、熱板は１５０ｍｍ程度の鋳鉄でできており、その熱容量が大きい。このため、段ボール製造のオーダーチェンジ（異なるロットの段ボールを製造することであり、段ボールの紙種が変更となったり、片面段ボールシートと表ライナ紙とのライン速度が変更になったりすること）に付随する温度調整に時間を要していた。
【０００５】
本発明は、上記に鑑みてなされたものであって、オーダーチェンジ時に温度に対する応答性の低下を抑制できる段ボール製造用加熱装置、両面段ボールシート製造装置及び両面段ボールシート製造方法を提供することを目的とする。
【課題を解決するための手段】
【０００６】
上述した課題を解決し、目的を達成するために、本発明にかかる段ボール製造用加熱装置は、片面段ボールシートと表ライナ紙とを加熱する段ボール製造用加熱装置において、片面段ボールシートと表ライナ紙とを加熱させる加熱手段と、片面段ボールシート又は表ライナ紙と接触する接触面を有する接触部と加熱手段との間に接触部を冷却する冷却手段と、が設けられていることを特徴とする。
【０００７】
この段ボール製造用加熱装置では、例えば、表ライナ紙と接触する接触部と加熱手段との間に、接触部を冷却する冷却手段を設ける。これによって、接触部の温度を強制的に冷却することができるので、オーダーチェンジ時には、接触面の温度を迅速に変更することができる。なお、接触面は、平滑に形成することが好ましい。
【０００８】
次の発明にかかる段ボール製造用加熱装置は、前記段ボール製造用加熱装置において、加熱手段と冷却手段とは、それぞれ別部材で構成されており、接触部は冷却手段が設けられている部材に形成されており、加熱手段と冷却手段とは分離可能となっていることを特徴とする。
【０００９】
本段ボール製造用加熱装置では、加熱手段と冷却手段とは、それぞれ別部材で構成されているという構成を採用する。この構成によれば、加熱手段と冷却手段とを一体で構成する場合には複雑な形状の部材となり、加工に制約を受けるが、上述の構成では、加熱手段の部材と冷却手段の部材とは、それぞれ別個の部材として製造できるので、加工の制約が低減され、また、加工自体も容易になる。その結果、段ボール製造用加熱装置を製造する際の製造コストを低減することができる。
【００１０】
次の発明にかかる段ボール製造用加熱装置は、加熱手段若しくは冷却手段の少なくとも一方の温度を制御することにより、片面段ボールシート及び表ライナ紙へ与える熱量を調整する温度制御手段を有していることを特徴とする。
【００１１】
この段ボール製造用加熱装置では、加熱手段又は冷却手段の少なくとも一方の温度を制御することができるので、両面段ボールシートに加える熱量の調整を行うことができる。したがって、両面段ボールシートの過剰加熱を抑制することができる。
【００１２】
次の発明にかかる段ボール製造用加熱装置は、加熱手段と冷却手段との距離を変更することにより、片面段ボールシート及び表ライナ紙へ与える熱量を調整する距離可変手段を有していることを特徴とする。
【００１３】
この構成によれば、加熱手段と冷却手段との距離を変更することにより、加熱手段と冷却手段との間の接触熱伝達率を変更できるので、接触部の温度調整を容易に行うことができる。
【００１４】
次の発明にかかる段ボール製造用加熱装置は、片面段ボールシートと表ライナ紙とのライン速度、すなわち両面段ボールシートが生産されるライン速度、又は片面段ボールシートの紙種情報、又は表ライナ紙の紙種情報のうち少なくとも１つに基づいて、温度制御手段又は距離可変手段の少なくとも一方を制御することにより、片面段ボールシート及び表ライナ紙へ与える熱量を調整する総合制御手段を有していることを特徴とする。
【００１５】
この構成によれば、紙種情報に基づいて温度制御手段若しくは距離可変手段を制御することにより、両面段ボールシート製造前に、温度制御手段若しくは距離可変手段を制御し、段ボール製造用加熱装置の温度をプリセットすることができる。紙種に応じてどの程度両面段ボールシートを加熱し、乾燥させれば反りの少ない両面段ボールシートが製造できるかが定まるからである。これにより、両面段ボールシート製造開始時に発生する可能性の高い両面段ボールシートの過乾燥を抑制することができるので、両面段ボールシート製造後に発生する反りを低減できる。
【００１６】
次の発明にかかる段ボール製造用加熱装置は、片面段ボールシート又は表ライナ紙の温度又は水分量の少なくとも一方を計測する計測手段を有しており、総合制御手段は、計測手段から得られた温度又は水分量の少なくとも一方に基づいて、温度制御手段又は距離可変手段を制御することを特徴とする。
【００１７】
この構成によれば、片面段ボールシート又は表ライナ紙の温度又は水分量の少なくとも一方の情報に基づいて、温度制御手段若しくは距離可変手段を制御するので、両面段ボールシート製造中においても接触部の温度調整を行うことができる。即ち、段ボール製造用加熱装置の入口や出口における上述の片面段ボールシートや表ライナ紙の温度又は含水分量に基づいて、両面段ボールシート製造中においても段ボール製造用加熱装置の温度を変更できる。即ち、片面段ボールシートや表ライナ紙の湿度が低いときは、片面段ボールシートや表ライナ紙に与える熱量を少なくして、過乾燥を抑制することができるので、両面段ボールシート製造後に発生する反りを低減できる。
【００１８】
次の発明にかかる両面段ボールシート製造装置は、片面段ボールシートに接着剤を塗布する前に予熱する片段用プレヒータと、表ライナ紙に接着剤を塗布する前にライナ紙を予熱する第１表ライナ用プレヒータと、予熱された片面段ボールシートと表ライナとに接着剤を塗布するグルーマシンと、接着剤が塗布された後の表ライナ紙をさらに加熱する第２表ライナ用プレヒータと、段ボール製造用加熱装置と、片面段ボールシート及び表ライナ紙を搬送する搬送手段と、搬送手段を介して片面段ボールシートと表ライナとを段ボール製造用加熱装置に押し付ける加圧手段とを有していることを特徴とする。
【００１９】
この構成によれば、片面段ボールシートと表ライナ紙とを加圧すると共に、段ボール製造用加熱装置によって、片面段ボールシートと表ライナ紙とに付着した接着剤を乾燥させ、両面段ボールシートを製造することができる。上述の加圧をすることによって、両面段ボールシートが平滑に形成された接触部に押し付けられるので、シートの四隅の反りが抑制され平滑な両面段ボールシートを製造することができる。なお、上述の反り量の合計が１７ｍｍ以下となるように上述の加圧によって両面段ボールシートを接触部に押し付けることが好ましい。
【００２０】
また、上述の平滑に形成された接触部の寸法公差は、当該接触部が冷態時（段ボール製造用化加工装置の非運転時であって、接触部が常温の時）において、０．０５ｍｍ以下とすることが好ましい。さらに、当該寸法公差は、接触部の過熱時においても１０ｍｍ以下となるように、接触面は平滑に設定されていることが好ましい。なお、寸法公差とは、接触部の最大高さと最小高さとの差のことである。
【００２１】
さらに、この両面段ボールシート製造装置は、その接触部の温度を強制冷却できるので、オーダーチェンジの際に、迅速に接触部の温度を変更することができる。すなわち、両面段ボールシート製造開始時に発生する可能性の高い両面段ボールシートの製造不良を抑制することができる。
【００２２】
次の発明にかかる両面段ボールシートの製造方法は、両面段ボールシートを製造するにあたり、片面段ボールシートを予熱する手順と、片面段ボールシートと貼り合わされる表ライナ紙を予熱する手順と、片面段ボールシートと表ライナ紙とに接着材を塗布する手順と、表ライナ紙を再び予熱する手順と、片面段ボールシートと表ライナ紙とを加熱し、接着させる手順とを含み、片面段ボールシートと表ライナ紙とを加熱し、接着させる手順は、片面段ボールシート又は表ライナ紙と接触する接触面が平滑に形成された接触部を強制冷却、及び、強制加熱できる手段を用いることを特徴とする。
【００２３】
上述の方法によれば、接触部の温度変更が可能な段ボール製造用加熱装置を用いて両面段ボールシートを製造するので、好適な両面段ボールシートを製造することができる。
【発明の効果】
【００２４】
この発明にかかる段ボール製造用加熱装置、両面段ボールシート製造装置及び両面段ボールシート製造方法によれば、オーダーチェンジ時に熱に対する応答性のよい段ボール製造用加熱装置、両面段ボールシート製造装置及び両面段ボールシート製造方法を提供することができる。
【発明を実施するための最良の形態】
【００２５】
以下、この発明につき図面を参照しつつ詳細に説明する。なお、以下の実施例（この発明を実施するための最良の形態）によりこの発明が限定されるものではない。また、下記実施例における構成要素には、当業者が容易に想定できるもの、あるいは実質的に同一のもの、いわゆる均等の範囲のものが含まれる。
【実施例１】
【００２６】
図１は、本発明にかかる両面段ボールシート製造装置を示す概略図である。この両面段ボールシート製造装置１は、片段用プレヒータ１２、第１表ライナ用プレヒータ１３、グルーマシン１４、第２表ライナ用プレヒータ１５、ヒーティング部１６、蒸気配管（図示省略）、搬送ベルト１７、加圧装置５５、クーリング部３３、ロータリシャー５０、センサ１８，１９、総合制御装置２３とを有している。
【００２７】
ここで、片段用プレヒータ１２は、片面段ボールシート１０に接着剤を塗布する前に予熱する手段である。第１表ライナ用プレヒータ１３は、表ライナ紙１１を予熱する手段である。
【００２８】
さらに、グルーマシン１４は、予熱された片面段ボールシート１０に接着剤を塗布する手段である。第２表ライナ用プレヒータ１５は、表ライナ紙をさらに加熱する手段である。ヒーティング部１６は、それ自身が加熱することにより片面段ボールシート１０と表ライナ紙１３とに塗布された接着剤をゲル化後に乾燥させて片面段ボールシート１０と表ライナ紙１３とを接着させる手段である。蒸気配管（図示省略）は、ヒーティング部１６に蒸気を供給する手段である。
【００２９】
搬送ベルト１７は、片面段ボールシート１０及び表ライナ紙１１を搬送する手段である。加圧装置５５は、搬送ベルト１７を介して片面段ボールシート１０と表ライナ紙１１とをヒーティング部１６に押し付ける手段である。
【００３０】
センサ１８は、グルーマシン１４と第２表ライナ用プレヒータ１５との間を通過する片面段ボールシート１０の両面の水分量又は温度のうち少なくとも一方を測定する手段である。センサ１９は、ヒーティング部１６を通過した後の貼り合わされた片面段ボールシート１０と表ライナ紙１１（以下、両面段ボールシートと称する）の両面の水分量及び/若しくは温度を測定する手段である。総合制御装置２３（総合制御手段）は、それぞれのセンサ１８，１９から得られた情報に基づいて後述する温度制御手段又は距離可変手段のうち少なくとも一方を制御する。
【００３１】
ヒーティング部１６は複数のヒーティングボックス２２（段ボール製造用加熱装置）によって構成されており、それぞれのヒーティングボックス２２は、上述の総合制御装置２３によって制御される。
【００３２】
次にヒーティングボックス２２について説明する。図２はヒーティングボックスの概略図である。同図に示すように、ヒーティングボックス２２は、冷却板２５と、冷却媒体管路３０と、加熱板２６と、蒸気供給管２９と、蒸気排気管３４と、昇降装置２７（距離可変手段）とから構成されている。
【００３３】
冷却板２５は、片面段ボールシート若しくは表ライナ紙と接触する接触部２４を有している。冷却媒体管路３０（冷却手段）は、冷却板２５に冷却媒体を供給して、冷却板２５を強制冷却する手段である。
【００３４】
また、蒸気供給管２９は、加熱板２６の蒸気室２８（加熱手段）に高圧の蒸気を供給する手段である。これにより、強制加熱することができる。昇降装置２７（距離可変手段）は、加熱板２６を上下に昇降させる手段である。
【００３５】
図３は、加熱板の上面視断面図である。同図に示すように加熱板２６の内部には、蒸気室２８が形成されており、蒸気供給管２９（図２参照）及び蒸気排気管３４（図２参照）と連通するための蒸気供給孔２９Ｈ及び蒸気排出孔３４Ｈが穿設されている。
【００３６】
ヒーティングボックス２２において、冷却板２５は、薄肉化され、伝熱効率が高くなるように設計されていることが好ましい。しかし、冷却板２５は、接触部２４が熱変形を起こさないよう十分肉厚とすることにも考慮する。即ち、極端に薄肉化するのではなく、冷却板の厚みを１０ｍｍ程度とすることが好ましい。さらに、冷却板２５と加熱板２６は鋳鉄でもよいが、加工の容易化および熱容量の減少のため、鋳鉄よりも比熱が低い炭素鋼ないしステンレス（ＳＵＳ）鋼板の加工により形成することが好ましい。
【００３７】
上述の蒸気供給管２９は、蒸気室２８に供給される蒸気の量を調整し、加熱板の温度を調整する機能を有する蒸気バルブ３１（温度制御手段）と、昇降装置２７によって加熱板２６が昇降した際に、蒸気供給管２９の距離変化を吸収するためのベローズ３２と、を有している。
【００３８】
蒸気バルブ３１及び昇降装置２７は、手動で調整してもよいし、上述した総合制御装置２３からの信号に基づいてアクチュエータを動作させ、それぞれ蒸気バルブ３１の開閉によって蒸気量を調整したり、昇降装置２７により加熱板２６の位置調整をしたりしてもよい。また、上述の蒸気を蒸気室２８から排出するための蒸気排出管３４は、加熱板２６が昇降する際に、その蒸気排気管３４の距離変化を吸収するベローズ３２を有している。
【００３９】
従来、片段用段ボールシート又は表ライナ紙とヒーティングボックスとの接触部の冷却手段としては、ヒーティングボックスに供給する蒸気の圧力を１．２ＭＰａから０．９ＭＰａに減圧して、前記蒸気温度を１９０℃から１７０℃に低下させる方式があった。しかし、ヒーティングボックスの熱容量が大きいため、応答性のよい制御手段ではなかった。
【００４０】
しかし、本実施例の構成によれば、加熱板２６と接触部２４の間に冷却手段として冷却媒体管路３０が設けられているので、接触部２４を強制冷却することができる。これによって、オーダーチェンジ時においても接触部２４を迅速に冷却することができる。即ち、オーダーチェンジ直後において、両面段ボールシートに余分な熱を加えることを抑えることができるので、両面段ボールシートの過剰乾燥を抑制することができる。
【００４１】
さらに、加熱板２６に供給される蒸気圧を調整することによって蒸気量の調整ができるので、オーダーチェンジ時においても接触部２４を強制加熱することができる。加熱板２６の薄肉化と組み合わせることにより、オーダーチェンジ直後において、両面段ボールシートに与えるべき熱量が少ないときでも迅速に接触部２４の温度を上昇させることができる。これによって、片面段ボールシート１０と表ライナ紙１１との間に塗布された接着剤のゲル化を早め、未乾燥を抑制することができるので、両面段ボールシートの接着不良を低減することができる。
【００４２】
また、従来、加熱板内の温度分布の影響を受けて加熱板自体が変形することがあり、その変形がヒーティング部を通過した後の両面段ボールシートの表面に少なからず影響を与えていた。しかし、本発明によれば、加熱板２６と表ライナ紙１１との間には冷却板２５が配置されており、冷却板２５と加熱板２６とは別体に形成されており、さらに、それらの間には空間が形成されている。即ち、加熱板２６と両面段ボールシート３３との間には冷却板があり、加熱板２６の変形が当該表面に与える影響を少なくできる。
【００４３】
次に上記構成を用いた両面段ボールシートの製造方法について図１から図３に基づいて説明する。まず、接着剤を塗布するために、片面段ボールシート１０及び表ライナ紙１１を適切な温度にする必要がある。このため、片面段ボールシート１０は、片段用プレヒータ１２で予熱され、表ライナ紙１１は第１表ライナ用プレヒータ１３で予熱される。その後、グルーマシン１４によって、片面段ボールシート１０のコルゲート面側に接着剤が塗布される。
【００４４】
表ライナ紙１１は、片面段ボールシート製造装置内で既に予熱されている片面段ボールシート１０と略同一の温度に設定されるべく、再び第２表ライナ用プレヒータ１５によって加熱される。片面段ボールシート１０と表ライナ紙１１とはヒーティング部１６の入り口で重ねられ、搬送ベルト１７によってヒーティング部１６に搬送される。
【００４５】
ヒーティング部１６では、冷却板２５の接触部２４上に表ライナ紙１１が搬送されるようになっており、該表ライナ紙１１上に片面段ボールシート１０が搬送されるようになっている。そして、加圧装置５５が搬送ベルト１７を介して、片面段ボールシート１０および表ライナ紙１１を接触部２４に押し付けるようになっている。
【００４６】
このように、片面段ボールシート１０と表ライナ紙１１とを加圧すると共に、ヒーティングボックス２２によって、片面段ボールシート１０と表ライナ紙１１とに付着した接着剤を乾燥させ、両面段ボールシート３３を製造する。なお、加圧装置５５に段ボール製造用加熱装置を設けてもよい。
【００４７】
また、センサ１８，１９によって、片面段ボールシート１０及び両面段ボールシート３３の温度又は水分量を計測し、その値に基づいて総合制御装置２３が温度制御手段又は距離可変手段のうち少なくとも一方を制御する。これによって接触部２４の温度を調節する。なお、当該制御手順は後述する。
【００４８】
次に、センサ１８，１９及び総合制御装置２３を用いた場合の制御手順について図４のフローチャートを用いて説明する。まず、センサ１８により片面段ボールシート１０の温度Ｔ１'又は水分量Ｗ１'の値を総合制御装置２３が得る（ステップＳ１０）。温度Ｔ１'が所定の規定温度Ｔ１より高い場合、又は、水分量Ｗ１'が所定の規定水分量Ｗ１より低い場合（ステップＳ２０）にはヒーティング部１６（特に接触部２４）の温度を低下させ（ステップＳ３０）、ステップＳ２０の条件に該当しない場合にはステップＳ４０に進む判断を総合制御装置２３が行う。
【００４９】
このヒーティング部１６の温度を低下させる手段としては、例えば、次のような手法がある。第１の手法は、冷却媒体管路３０に冷媒を流し、熱交換により温度を低下させる。第２の手法は蒸気バルブ３１を制御し、蒸気室２８へ供給される蒸気圧を０．１ＭＰａ〜１．２ＭＰａの間で減圧し、蒸気温度を低下させる。第３の手法は昇降装置２７を制御し、冷却板２５と加熱板２６との距離を調整することにより、接触熱伝達率を低下させる。この実施例にかかる両面段ボールシートの製造方法では、前記第１の手段、前記第２の手段、又は前記第３の手段のうち少なくとも一つを用いて、ヒーティング部１６の温度を低下させればよい。
【００５０】
次に、センサ１９により両面段ボールシート３３の温度Ｔ２'又は水分量Ｗ２'の値を総合制御装置２３が得る（ステップＳ４０）。温度Ｔ２'が所定の規定温度Ｔ２より高い場合、若しくは、水分量Ｗ２'が所定の規定水分量Ｗ２より低い場合（ステップＳ５０：Ｙｅｓ）にはヒーティング部１６（特に接触部２４）の温度を下げ（ステップＳ３０）、ステップＳ５０の条件に該当しない場合には、ヒーティング部１６の温度を上げ（ステップＳ６０）、ＲＥＴＵＲＮに進む。その後、ＲＥＴＵＲＮからＳＴＡＲＴに戻ってもよい。これらの判断を総合制御装置２３が実行する。
【００５１】
なお、上述の規定温度Ｔ１，Ｔ２、規定水分量Ｗ１，Ｗ２はある程度の幅を持った値（許容値）とすることが好ましい。例えば、規定温度Ｔ１を９０℃と設定し、温度許容値を５℃と設定する。そして、ステップＳ２０において、温度Ｔ１'が９５℃以上であれば、ステップＳ３０に進むこととし、ステップＳ５０においては、温度Ｔ１'が８５℃以下であれば、ステップＳ３０に進むこととするように設定する。規定水分量Ｗ１、Ｗ２についても同様に水分量許容値を設定する。
【００５２】
言い換えれば、規定温度±温度許容値内に温度Ｔ１'，Ｔ２'がある場合や規定水分量±水分量許容値内に水分量Ｗ１'，Ｗ２'がある場合には、冷却板２５の接触部２４の温度調整を行わないとする制御ができる。これによって、制御が安定し、接触部２４の温度も安定したものとなり、結果として、安定した両面段ボールシート３３の製造ができる。
【００５３】
このヒーティング部１６の温度を上昇させる手段としては、例えば、次のような手法がある。第１の手法は、冷却媒体管路３０に流している冷媒の供給を停止させ、冷却効果をなくし、加熱板の熱により温度上昇させる。第２の手法は、蒸気バルブ３１を制御し、蒸気室２８へ供給される蒸気圧を０．１ＭＰａ〜１．２ＭＰａの間で加圧し、蒸気温度を上げる。第３の手法は、昇降装置２７を制御し、冷却板２５と加熱板２６との距離を調整することにより、接触熱伝達率を上げ、加熱板の熱によりヒーティング部１６の温度を上昇させる。この実施例にかかる両面段ボールシートの製造方法では、前記第１の手段、前記第２の手段、又は前記第３の手段のうち少なくとも一つを用いて、ヒーティング部１６の温度を上昇させればよい。
【００５４】
また、ヒーティング部１６の温度を下げる場合には、両面段ボールシート３３の流れ方向下流にあるヒーティングボックス２２から順に温度を下げることが好ましい。例えば、ヒーティング部１６にあるすべてのヒーティングボックス２２の温度が１８０℃で、下流側における両面段ボールシート３３の温度が規定温度Ｔ２以上であった場合には、ヒーティング部１６の温度を下げる必要がある。この場合、上流側のヒーティングボックス２２の温度は１８０℃のままにし、下流側のヒーティングボックス２２の温度を１６０℃にする。このようにすることによって、ヒーティング部１６全体として、両面段ボールシート３３に与える熱量を減少させ、両面段ボールシート３３を過剰に乾燥させないように調整する。一般に紙中の水分の温度上昇および蒸発は、紙の温度上昇に比べて時間的に遅れるので、下流側のヒーティングボックスの設定温度を下げることにより、両面段ボールシートの温度を大きく低下させることなしに、紙中の水分蒸発に使われる熱量を減少させ、過乾燥を防止することが可能になる。これにより、両面段ボールシートの反り現象を防止することができる。
【００５５】
反対に、ヒーティング部１６の温度を上げる場合には、上流側のヒーティングボックス２２から温度を上げる。例えば、上流側の３つのヒーティングボックス２２が１６０℃で、下流側の５つのヒーティングボックス２２が１６０℃であって、ヒーティング部の温度を上げる必要がある場合には、上流側の６つのヒーティングボックス２２を１８０℃にし、下流側の２つのヒーティングボックス２２は１６０℃のままにする。このようにして、ヒーティング部１６全体として、両面段ボールシート３３に与える熱量を上昇させると同時に、両面段ボールシート３３の過剰乾燥にならないように調整する。これにより、両面段ボールシートの反り現象を防止することができる。
【００５６】
ところで、一般的にオーダーチェンジの際には、両面段ボールシートの紙種に応じて接触部２４の温度を変更する必要がある。
【００５７】
例えば、搬送ベルト１７の速度は一定だとすると、片面段ボールシート１０又は表ライナ紙１１の紙種が変われば、接着剤まで熱が伝わる速度が変化する。つまり、片面段ボールシート１０と表ライナ紙１１との接着までに要する時間が変化し、接着不良の両面段ボールシートができてしまう場合や両面段ボールシートの過剰乾燥による反りが発生してしまう場合があるからである。
【００５８】
本実施例では、温度制御手段を有しているので、オーダーチェンジの際に、次の片面段ボールシート１０又は表ライナ紙１１の状態に適した温度に接触部２４を迅速に調整することができる。これにより、接着不良の発生しやすい厚紙の高速貼合時には熱量を多く、過乾燥状態になりやすい薄紙の低速貼合時には熱量を少なく与えるよう、ヒーティングボックス２２の温度が設定される。したがって、オーダーチェンジ後の初期の段階における両面段ボールシートの接着不良や過剰乾燥を低減することができる。
【００５９】
なお、片面段ボールシート１０の紙種情報に基づいて総合制御装置２３が温度制御手段又は距離可変手段のうち少なくとも一方を制御する場合は次の手法を用いればよい。
【００６０】
例えば、標準的な紙厚よりも薄い紙厚の両面段ボールシートを製造する場合やライン速度が２００ｍ／ｍｉｎ以下である場合には、上述のヒーティング部１６の温度を低下させる手段の「第１の手法」から「第３の手法」のいずれかを用いて温度を低下させればよい。
【００６１】
逆に、標準的な紙厚よりも厚い紙厚の両面段ボールシートを製造する場合やライン速度が３５０ｍ／ｍｉｎ以上である場合には、上述のヒーティング部１６の温度を上昇させる手段の「第１の手法」から「第３の手法」のいずれかを用いて温度を上昇させればよい。
【００６２】
（変形例）
次に、本実施例にかかるヒーティングボックスの変形例について説明する。この変形例は、実施例１と同様の構成であるが、冷却板と加熱板を一体に形成した点が異なる。図５は、実施例１の変形例にかかるヒーティングボックスを示す説明図である。
【００６３】
同図に示すように、冷却板２５と加熱板２６とを一体に形成してもよい。このように一体に形成することによって、冷却板２５と加熱板２６との間に空間を設けて接触熱伝達率を下げる効果は得られないが、蒸気室２８と接触部２４との間に冷却媒体管路３０が存在するので、冷却板２５分だけ厚くヒーティングボックス２２を形成することができる。したがって、蒸気室２８付近での熱分布による熱変形が接触部２４に与える影響を小さくすることができる。
【００６４】
以上、実施例１及びその変形例では、加熱板と接触部の間に冷却手段として冷却媒体管路が設けられている構成とした。これによって、接触部を強制冷却できるという作用が得られる。その結果、オーダーチェンジ時においても接触部２４を迅速に冷却することができるという効果が得られる。
【００６５】
また、上述の制御手段を用いることによって、片面段ボールシートと表ライナ紙の紙種情報、温度、湿度に基づいて常時、接触部２４の温度調整をすることができる。したがって、製造された両面段ボールシートの接着不良や反りを低減することができる。
【実施例２】
【００６６】
実施例２にかかる両面段ボールシート製造装置は、上記実施例１にかかる両面段ボールシート製造装置と略同一の構成であるが、蒸気室を複数設けた点が異なる。その他の構成は実施例１と同様なのでその説明を省略すると共に、同一の構成要素には同一の符号を付する。
【００６７】
図６は加熱板の上面視断面図である。同図に示すように、加熱板３６の内部には両面段ボールシート幅方向（両面段ボールシートの流れ方向と垂直方向であり、且つ、両面段ボールシートの面と平行な方向）に複数の蒸気室３７が形成されている。そして、それぞれの蒸気室３７には蒸気供給管２９及び蒸気排出管３４と連通するための蒸気供給孔２９Ｈ及び蒸気排出孔３４Ｈが穿設されている。それぞれの蒸気室３７に送られる蒸気量は、実施例１に示した蒸気バルブ３１を制御することによって調整される。
【００６８】
上述のように複数の蒸気室３７を両面段ボールシート幅方向に形成し、それぞれの蒸気室３７へ供給される蒸気量を調整することによって、両面段ボールシート幅方向における両面段ボールシート３３の温度・水分量を調整することができる。
【００６９】
即ち、両面段ボールシート幅方向の温度・水分量が均一でないために、両面段ボールシート３３の伸縮率がシート幅方向に均一にならず、シートに反りが発生することもあるが、上述の構成により、ヒーティング部を通過した両面段ボールシート３３の温度・水分量を均一にするように調整することができる。その結果として、当該両面段ボールシート３３の温度・水分量がシート幅方向に均一になることによって、両面段ボールシート３３の伸縮率がシート幅方向に均一になり、反りのない好適な両面段ボールシート３３の製造が可能となる。
【実施例３】
【００７０】
実施例３にかかる両面段ボールシート製造装置は、上記実施例１にかかる両面段ボールシート製造装置と略同一の構成であるが、蒸気室を蒸気流路とした点が異なる。その他の構成は実施例１と同様なのでその説明を省略すると共に、同一の構成要素には同一の符号を付する。
【００７１】
図７は加熱板の上面視断面図である。同図に示すように、加熱板４０の内部に蒸気流路４１を形成する。この蒸気流路４１は、両面段ボールシート幅方向に伸びる管路となっている。また蒸気流路４１には、蒸気供給管２９と連通するための蒸気供給孔２９Ｈ、及び、蒸気排気管３４と連通するための蒸気排出孔３４Ｈが穿設されている。
【００７２】
上述のように構成することによって、蒸気流路４１に沿って蒸気が循環することになるので、蒸気流路４１内の蒸気の流速をたとえば３０ｍ／ｓの適切な速度に保てば、熱交換により凝縮したドレンは流路に沿って下流側に排出され、ドレンによる温度低下も抑制することができる。また、蒸気流路４１の表面積は同体積の蒸気室より広くなるため、加熱板４０との単位時間当たりの熱交換効率が上昇し、ドレンの凝縮量に見合った蒸気を蒸気供給管２９から供給することにより、加熱装置の熱効率を上昇させることが可能になる。
【産業上の利用可能性】
【００７３】
以上のように、本発明にかかる段ボール製造用加熱装置、両面段ボールシート製造装置及び両面段ボールシート製造方法は、オーダーチェンジ時に有用であり、特に、両面段ボールシートの製造に適している。
【図面の簡単な説明】
【００７４】
【図１】両面段ボールシート製造装置の概略図を示す図である。
【図２】ヒーティングボックスの概略図である。
【図３】加熱板の上面視断面図である。
【図４】温度調節のための制御手順を示すフローチャートである。
【図５】実施例１のヒーティングボックスの変形例を示す概略図である。
【図６】実施例２にかかる加熱板の上面視断面図である。
【図７】実施例３にかかる加熱板の上面視断面図である。
【符号の説明】
【００７５】
１０  片面段ボールシート
１１  表ライナ紙
１２  片段用プレヒータ
１３  第１表ライナ用プレヒータ
１４  グルーマシン
１５  第２表ライナ用プレヒータ
１６  ヒーティング部
１７  搬送ベルト
１８，１９  センサ
２２  ヒーティングボックス
２３  総合制御装置
２５  冷却板
２６  加熱板
２７  昇降装置
２８  蒸気室
２９  蒸気供給管
３０  冷却媒体管路
３１  蒸気バルブ
３２  ベローズ
３３  クーリング部
３４  蒸気排出管
５０  ロータリーシャー
【図１】
2008055790.tif 000003
【図２】
2008055790.tif 000004
【図３】
2008055790.tif 000005
【図４】
2008055790.tif 000006
【図５】
2008055790.tif 000007
【図６】
2008055790.tif 000008
【図７】
2008055790.tif 000009